(57)【要約】【課題】  流路に検出チップを精度よく接合して流路を形成するための機構をハウジングに備え、更に、流路に検出チップを短時間で簡便に組み込み可能なフロースルーセル及びこれを備えた測定装置を提供する。【解決手段】  下面に溶液の導入口及び排出口を備えた上型と、検出素子を基板上に配置することにより構成された検出チップを、前記導入口及び前記排出口と対向する位置に配置できるように構成された下型とを備え、前記導入口及び前記排出口を前記検出チップ側に押圧できるように構成し、前記検出チップの前記検出素子の外周にシール部材を設け、前記下型上面に凹部を設けて前記凹部内に前記検出チップを載置した状態で交換可能な支持部材を設けたことを特徴とする。【選択図】  図１
2011137639.tif 000002
【特許請求の範囲】
【請求項１】
下面に溶液の導入口及び排出口を備えた上型と、検出素子を基板上に配置することにより構成された検出チップを、前記導入口及び前記排出口と対向する位置に配置できるように構成された下型とを備え、前記導入口及び前記排出口を前記検出チップ側に押圧できるように構成し、前記検出チップの前記検出素子の外周にシール部材を設け、前記下型上面に凹部を設けて前記凹部内に前記検出チップを載置した状態で交換可能な支持部材を設けたことを特徴とするフロースルーセル。
【請求項２】
前記上型を、前記導入口及び前記排出口を備えた部材と、前記上型本体とから構成し、前記上型本体と前記導入口及び前記排出口を備えた部材との間に弾性部材を設け、前記導入口及び前記排出口を備えた部材が前記検出チップ側に付勢されるようにしたことを特徴とする請求項１に記載のフロースルーセル。
【請求項３】
前記支持部材と前記下型本体との間に弾性部材を設け、前記支持部材が前記上型側に付勢されるようにしたことを特徴とする請求項１又は２に記載のフロースルーセル。
【請求項４】
前記凹部内にピンを立設し、前記ピンが挿通される貫通孔を前記支持部材に設けたことを特徴とする請求項１乃至３の何れか１項に記載のフロースルーセル。
【請求項５】
前記支持部材の上面に、前記支持部材の取り付け及び取り外しのための把持部材を設けたことを特徴とする請求項１乃至４の何れか１項に記載のフロースルーセル。
【請求項６】
前記上型と前記下型とは蝶番により開閉自在に構成されたことを特徴とする請求項１乃至５の何れか１項に記載のフロースルーセル。
【請求項７】
前記検出素子は水晶振動子であることを特徴とする請求項１乃至６の何れか１項に記載のフロースルーセル。
【請求項８】
請求項１乃至７の何れかに記載のフロースルーセルを備えた測定装置。
【発明の詳細な説明】
【技術分野】
【０００１】
本発明は、溶液中の物質検知又は測定に用いるためのフロースルーセルに関し、特に検出方式が水晶振動子マイクロバランス法（以下、「ＱＣＭ」とする。）であるフロースルーセル及びこれを使用した測定装置に関する。
【背景技術】
【０００２】
ＱＣＭは、圧電素子の発振・共振の周波数が、該素子表面へ物質が付着したときに変化することを利用した、微量な物質質量の検知・測定方法として広く知られている技術である。
ＱＣＭの検出素子において実用上の感度を有する感応部は、該振動子電極部と表面位置的にほぼ一致するため、該電極部そのものの表面を直接、或いは、少なくとも該電極部表面を含む領域への膜付着や化学的処理などの修飾を行うことにより、検出部として用いられてきている（非特許文献１参照）。
小容量のサンプル溶液を用いる場合、フロースルーセルを用いるのが一般的である。このフロースルーセルは、検出素子を流路に組み込む機構を備える必要があった。
このような要求に対して、流路に検出素子を組み込むためのアッセンブリ等が提案されている（特許文献１、特許文献２参照）。
しかしながら、特許文献１や２において提案された構造であっても、検出素子の検出部とアッセンブリから形成される流路体積を小さくする構成、または、検出素子の検出部とアッセンブリを接合した際にアッセンブリの導入口及び排出口がシール材に近接している構成では、検出素子とアッセンブリを接合させる度に検出素子とアッセンブリの相対位置が変化し、導入口及び排出口がシール材により塞がってしまったり、溶液の導入口及び排出口と検出素子の検出部との相対位置が変化したりすることがあった。それを避けるために検出素子とアッセンブリを手作業により精度よく接合させようとした場合、時間と手間を要するという問題があった。また、特許文献１に開示されたものでは、検出素子をアッセンブリに固定する際に複数の固定ネジを用いており、検出素子の取り付けに時間と手間を要するという問題があった。
【先行技術文献】
【特許文献】
【０００３】
【特許文献１】特開平１１−１８３４７９号公報（請求項８、図２及び図９）
【特許文献２】特開２００７−１９８９２１号公報（請求項７、図５及び図６）
【非特許文献】
【０００４】
【非特許文献１】Sauerbrey, G著 "Use of quartz vibration for weighing thin films of a microbalance", Zeitschrift fur Physik, 155 (1959) 206-222
【発明の概要】
【発明が解決しようとする課題】
【０００５】
そこで、本発明は、流路に検出チップを精度よく接合して流路を形成するための機構をハウジングに備え、更に、流路に検出チップを短時間で簡便に組み込み可能なフロースルーセル及びこれを備えた測定装置を提供することを目的とする。
【課題を解決するための手段】
【０００６】
本発明のフロースルーセルは、請求項１に記載の通り、下面に溶液の導入口及び排出口を備えた上型と、検出素子を基板上に配置することにより構成された検出チップを、前記導入口及び前記排出口と対向する位置に配置できるように構成された下型とを備え、前記導入口及び前記排出口を前記検出チップ側に押圧できるように構成し、前記検出チップの前記検出素子の外周にシール部材を設け、前記下型上面に凹部を設けて前記凹部内に前記検出チップを載置した状態で交換可能な支持部材を設けたことを特徴とする。
請求項２に記載の本発明は、請求項１に記載のフロースルーセルにおいて、前記上型を、前記導入口及び前記排出口を備えた部材と、前記上型本体とから構成し、前記上型本体と前記導入口及び前記排出口を備えた部材との間に弾性部材を設け、前記導入口及び前記排出口を備えた部材が前記検出チップ側に付勢されるようにしたことを特徴とする。
請求項３に記載の本発明は、請求項１又は２に記載のフロースルーセルにおいて、前記支持部材と前記下型本体との間に弾性部材を設け、前記支持部材が前記上型側に付勢されるようにしたことを特徴とする。
請求項４に記載の本発明は、請求項１乃至３の何れか１項に記載のフロースルーセルにおいて、前記凹部内にピンを立設し、前記ピンが挿通される貫通孔を前記支持部材に設けたことを特徴とする。
請求項５に記載の本発明は、請求項１乃至４の何れか１項に記載のフロースルーセルにおいて、前記支持部材の上面に、前記支持部材の取り付け及び取り外しのための把持部材を設けたことを特徴とする。
請求項６に記載の本発明は、請求項１乃至５の何れか１項に記載のフロースルーセルにおいて、前記上型と前記下型とは蝶番により開閉自在に構成されたことを特徴とする。
請求項７に記載の本発明は、請求項１乃至６の何れか１項に記載のフロースルーセルにおいて、前記検出素子は水晶振動子であることを特徴とする。
また、本発明の測定装置は、請求項８に記載の通り、請求項１乃至７の何れか１項に記載のフロースルーセルを備えたものである。
【発明の効果】
【０００７】
本発明のフロースルーセルには、水晶振動子等の検出素子を基板上に設けることにより構成された検出チップとし、支持部材とともに下型から取り外しすることが可能となる。また、下型に支持部材を載置するだけで、検出素子の位置決めが容易となる。
また、下型の凹部内に位置決めピンを設けることにより、検出素子と溶液の導入口及び排出口を備えた部材とが精度よく接合できるようになったため、流路がシール材により塞がることがなくなり、また、測定までの準備時間を短縮することができる。更に、検出素子と溶液の導入口及び排出口を備えた部材を精度よく接合できるようになったため検出チップの小型化が可能になり、流路に流す溶液の量を減らすことができ、また、使用済み検出チップの廃棄物の嵩を削減することができる。
また、位置決めピンにテーパー型を用いることにより、フロースルーセルに一の自由度があっても上型を閉めることにより位置合わせができる。その結果、流路への検出素子の組み込みが容易になり、測定までの準備時間を短縮することができるようになる。
また、支持部材又は導入口及び排出口を備えた部材を弾性体により加圧することで、流路のシールが可能となり、従来の締付け機構が不要になり、測定までの準備時間を短縮することが可能となる。
【図面の簡単な説明】
【０００８】
【図１】本発明の一実施の形態のフロースルーセルの断面図
【図２】支持部材の斜視図
【図３】図２の変形例の説明図
【図４】本発明の一実施の形態のフロースルーセルの説明図
【発明を実施するための形態】
【０００９】
図１に示されるフロースルーセルは、下型１に上型２が重なることができるように蝶番３により開閉自在となるように構成される。
下型１の上面には、平面視四角形状の凹部１ａが設けられ、この凹部１ａ内の対角する位置にピン４が計２本立設される。この凹部１ａ内には、図２に示す支持部材５が配置される。この支持部材５は、略四角形状の板材により構成され、前記ピン４，４が挿通される貫通孔５ｈ，５ｈが設けられる。また、支持部材５の上下面方向には、貫通孔５ａが設けられており下面側で検出チップ６の底面を支持するための貫通孔５ａ中心に向かってフランジ５ｂが形成されている。従って、本発明における凹部とは有底の凹部と貫通孔により得られる凹部の両方が含まれることになる。尚、検出チップ６は、プリント配線基板等の基板上面に凹部を設け、水晶振動子等の検出素子を配置することにより構成される。
上型２は、本実施の第１形態では、上型２本体の下面に、バネ等の弾性部材７を介して下型１方向に付勢された溶液の導入口８及び排出口９を備えた部材１０を設けて構成される。尚、部材１０の飛び出しを防ぐために、上型２本体の下面に設けられた凹部の内周には、フランジ２ａが設けられている。また、下型１は、下型１本体の上面に、バネ等の弾性部材７を介して上型２方向に付勢された支持部材５を設ける構成としてもよい。導入口８及び排出口９が下面に備えられた部材１０の内部には、セルの外部から溶液を導入口８に導くための導入路１１と、排出口９からの溶液をセルの外部に排出するための排出路１２とが形成されている。
そして、上型２が下型１に重なりあった際に、検出チップ６の検出部上方をシールするために、上型２側の導入口８及び排出口９の外周部にリング状のシール部材１３が設けられている。
導入口８及び排出口９を備えた部材１０の材質は、例えば、ＰＭＭＡ、フッ素樹脂、ＰＥＥＫなどの樹脂等を使用することができる。
【００１０】
上記の構造により、図１及び図４に示すように、支持部材５の上面に検出チップ６を配置した状態で下型１の凹部１ａのピン４により支持部材５を固定し、上型２を閉じることにより、導入口８及び排出口９が設けられた部材１０が検出チップ６の上方に溶液を溜めるべく、その外周をシール部材１３によりシールされた空間を形成することができる。従って、導入口８及び排出口９を検出部上方に位置合わせする作業が容易となる。また、通常は外形寸法が単体での取扱が困難な数ｍｍ程度の検出チップ６を交換する際に、下型１から直接検出チップ６を取り外すことなく、支持部材５ごと取り外すことで極めて迅速に作業が可能となる。尚、支持部材５に、図３に示すように柱状部材により構成される把持部１４を設けるようにすればより交換作業が容易になる。この場合には、把持部１４を収容する空間を上型２内に設ける必要がある。
【００１１】
上記説明した構造では、下型１の凹部１ａ内にピン４を立設し、支持部材５にピン４を挿通させるための貫通孔５ｈ、５ｈを設けているが、これらの構造については、支持部材５が導入口及び排出口を備えた部材１０に接合した際に、実用上流路条件に支障ない精度があれば必ずしも必要なものではない。
また、上型２又は下型１には、図示しないが検出チップ６へ通電するための配線を設ける必要がある。
また、本実施の形態では、下型１と上型２とを蝶番３により接続したが、必ずしも、この接続方法に限定されるものではなく、下型１の上方位置において、下型１から離間自在のスライダにより上型２を支持するようにしてもよい。
上記説明では、シール部材１３を検出チップ６の外周に設けるようにしたが、導入口及び排出口を備えた部材１０に設けるようにしてもよい。また、シール部材１３を構成する材料については特に制限はないが、例えば、高分子弾性材料を使用することができる。
また、本発明の測定装置は、フロースルーセル用に使用されている公知のポンプや水晶発振回路やネットワークアナライザー等から構成することができる。
【符号の説明】
【００１２】
１  下型
２  上型
３  蝶番
４  ピン
５  支持部材
６  検出チップ
７  弾性部材
８  導入口
９  排出口
１０  導入口及び排出口を備えた部材
１１  導入路
１２  導出路
１３  シール部材
１４  把持部
【図１】
2011137639.tif 000003
【図２】
2011137639.tif 000004
【図３】
2011137639.tif 000005
【図４】
2011137639.tif 000006